(57)【要約】【課題】フレームグランドに用いる導体が電子機器の内部空間を大きく占めること。【解決手段】電子機器は、外観の少なくとも一部を提供する第１外装部と、表示面である第１面および前記第１面とは反対側の第２面を有する表示部と、前記表示部の前記第２面から前記表示部を前記第１外装部に押さえ付けて、前記第１外装部に対して前記表示部を固定する導電性の押さえ板と、前記押さえ板に電気的に接続された接地導体を有する基板とを備える。【選択図】図３
2018142009.tif 000002
【特許請求の範囲】
【請求項１】
外観の少なくとも一部を提供する第１外装部と、
表示面である第１面および前記第１面とは反対側の第２面を有する表示部と、
接地導体を有する基板と、
電源回路の基準電位となる導体が電気的に接続されるとともに、前記表示部の前記第２面から前記表示部を前記第１外装部に押さえ付ける導電性の押さえ板と、
前記基板の接地導体と前記押さえ板とを電気的に接続する導体とを備え、
前記接続する導体は、前記接続する導体に加えられた応力を吸収する応力吸収部を備えた電子機器。
【請求項２】
前記押さえ板は、複数の前記基板に対する前記電子機器のフレームグランド導体として機能する
請求項１に記載の電子機器。
【請求項３】
前記電源回路は、電池から供給された電力から前記電子機器を駆動する電力を生成し、
前記押さえ板は、前記電池の負極端子に電気的に接続される
請求項１または２に記載の電子機器。
【請求項４】
外観の一部を提供し、前記第１外装部と締結された第２外装部と、
前記第２外装部と締結されたボディ部と
をさらに備え、
前記押さえ板は、前記第１外装部に締結され、
前記基板は、前記ボディ部に取り付けられる
請求項１から３のいずれか一項に記載の電子機器。
【請求項５】
前記接続する導体は、
前記ボディ部に取り付けられる第１取付部と、
前記押さえ板に取り付けられる第２取付部と
をさらに有し、
前記応力吸収部は、前記第１取付部と前記第２取付部との間に位置し、前記第２取付部を介して前記押さえ板から加えられた応力に応じて屈曲する屈曲部
を有する請求項４に記載の電子機器。
【請求項６】
前記接続する導体は、
前記基板に設けられた回路の少なくとも一部の回路を覆って前記少なくとも一部の回路をシールドするシールド部
を有する請求項１から５のいずれか一項に記載の電子機器。
【請求項７】
前記基板に設けられた撮像素子
をさらに備え、
前記表示部は、前記撮像素子で生成された信号に基づいて画像を表示する
請求項１から６のいずれか一項に記載の電子機器。
【請求項８】
前記押さえ板は、前記基板が有する少なくとも一部の回路を覆って、前記少なくとも一部の回路をシールドする
請求項１から７のいずれか一項に記載の電子機器。
【請求項９】
前記押さえ板は、
前記表示部を押さえつける平板部と、
前記平板部から前記基板が設けられた位置へ向けて延伸する延伸部と
を有し、
前記平板部は、前記基板において前記少なくとも一部の回路が設けられた面に略平行な主面を有し、前記少なくとも一部の回路を覆って前記少なくとも一部の回路をシールドする
請求項８に記載の電子機器。
【発明の詳細な説明】
【技術分野】
【０００１】
本発明は、電子機器に関する。
【背景技術】
【０００２】
後カバーに設けられた操作釦と、操作釦に対向する接点群が配置されるスイッチ基板と、スイッチ基板を押さえ付けるスイッチ基板押さえ板とを備え、スイッチ基板押さえ板を後カバーにビスで固定してスイッチ基板を後カバーに押さえ付けることにより、後カバー内のメイン基板部を防水するカメラが知られている（例えば、特許文献１参照。）。
［先行技術文献］
［特許文献］
［特許文献１］  特開２００３−１３２７５８号公報
【発明の概要】
【発明が解決しようとする課題】
【０００３】
電子機器の筐体内にフレームグランドを設ける場合に、フレームグランド用の専用の導体を設けると、電子機器を構成する部品点数が増加してしまう。また、フレームグランドに用いる導体が電子機器の内部空間を大きく占めてしまう。
【課題を解決するための手段】
【０００４】
第１の態様においては、電子機器は、外観の少なくとも一部を提供する第１外装部と、表示面である第１面および前記第１面とは反対側の第２面を有する表示部と、前記表示部の前記第２面から前記表示部を前記第１外装部に押さえ付けて、前記第１外装部に対して前記表示部を固定する導電性の押さえ板と、前記押さえ板に電気的に接続された接地導体を有する基板とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置２０００の模式的な断面図である。
【図２】ミラーユニット２０４２が被写体光束の光路中に進入した状態を示す。
【図３】後部ユニット１９１０の分解斜視図である。
【図４】電源ユニット２５００および押さえ板１７００の分解斜視図である。
【図５】電源ユニット２５００および押さえ板１７００が組み付けられた状態を示す斜視図である。
【図６】電源基板２５２０、処理ユニット基板２４２０および押さえ板１７００が接続された状態を示す。
【図７】撮像ユニット２１００、取付部材２１５０、電源基板２５２０および撮像ユニット側接地導体１８００を示す斜視図である。
【図８】撮像ユニット２１００、取付部材２１５０、処理ユニット基板２４２０、押さえ板１７００および表示ユニット２０２４の断面図を示す。
【図９】図８のＢ部を拡大して示す断面図である。
【図１０】撮像ユニット側接地導体１８００、押さえ板１７００および電源基板２５２０の位置関係を主として示す斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置２０００の模式的な断面図である。撮像装置２０００は、一眼レフレックスカメラである。撮像装置２０００は、レンズユニット２０１０およびカメラ本体２０２０を備える。レンズユニット２０１０は、交換レンズである。レンズユニット２０１０は、カメラ本体２０２０に着脱可能である。図１は、カメラ本体２０２０にレンズユニット２０１０が装着された状態を撮像装置２０００として示す。
【０００９】
カメラ本体２０２０は、ボディ側マウント２０２２と、カバー部２０３０と、ボディ部２０４０と、ミラーユニット２０４２と、シャッタユニット２０２３と、撮像ユニット２１００と、処理ユニット基板２４２０と、表示ユニット２０２４と、表示ユニットカバー１６１０と、ファインダユニット２０６０と、ファインダ窓２０６４と、レンズ駆動ユニット２０２５と、焦点検出ユニット２０２６とを有する。レンズユニット２０１０は、ボディ側マウント２０２２に装着される。
【００１０】
カバー部２０３０は、撮像装置２０００の外観を提供する。カバー部２０３０は、前カバー２０３１と、上カバー２０３２と、後カバー２０３３とを有する。ボディ部２０４０と、ミラーユニット２０４２と、シャッタユニット２０２３と、撮像ユニット２１００と、処理ユニット基板２４２０と、ファインダユニット２０６０と、レンズ駆動ユニット２０２５と、焦点検出ユニット２０２６とは、前カバー２０３１、上カバー２０３２および後カバー２０３３によって実質的に覆われる。
【００１１】
撮像装置２０００に係る構成を説明する場合に、レンズユニット２０１０の光軸Ｘに沿う方向をｚ軸方向と定める。すなわち、被写体光束が入射する方向をｚ軸方向と定める。被写体光束が入射する方向をｚ軸マイナス方向と定め、その反対方向をｚ軸プラス方向と定める。また、図１に図示した方向にｘ軸方向およびｙ軸方向を定める。ｘ軸、ｙ軸、ｚ軸は右手系の直交座標系である。また、ｚ軸プラス方向を前方、前側等と呼ぶ場合がある。また、ｚ軸マイナス方向を後方、後側等と呼ぶ場合がある。また、ｙ軸プラス方向を上方、上側、上部等と呼ぶ場合がある。ｙ軸プラス方向を下方、下側、下部等と呼ぶ場合がある。
【００１２】
レンズユニット２０１０は、レンズ側マウント２０１２と、光学系２０１４とを有する。光学系２０１４は、レンズ群２０１５と、レンズ群２０１６とを含む。レンズ群２０１５およびレンズ群２０１６は、ｚ軸マイナス方向に沿って、レンズ群２０１５、レンズ群２０１６の順で、光軸Ｘに沿って設けられる。レンズ側マウント２０１２は、光学系２０１４より後側に設けられる。レンズ側マウント２０１２は、カメラ本体２０２０の前面に配されたボディ側マウント２０２２と嵌合することにより、レンズユニット２０１０がカメラ本体２０２０に装着される。
【００１３】
レンズ群２０１６は、光軸Ｘに沿って移動可能に設けられる。レンズ群２０１６が光軸Ｘに沿って移動することにより、光学系２０１４の焦点距離、合焦位置が変化する。レンズ群２０１６は、レンズ駆動ユニット２０２５の制御によって、光軸Ｘに沿って移動する。レンズユニット２０１０は、レンズ群２０１５およびレンズ群２０１６を通過した被写体光束を出射する。
【００１４】
カメラ本体２０２０において、ボディ部２０４０の上方には、ファインダユニット２０６０が固定される。ファインダユニット２０６０は、フォーカシングスクリーン２０６１と、ペンタプリズム２０６２と、ファインダレンズ系２０６３と、測光ユニット２０６７とを有する。測光ユニット２０６７は、測光光学系２０６８と、測光センサ２０６９とを含む。
【００１５】
ボディ部２０４０内には、ミラーユニット２０４２が設けられる、ミラーユニット２０４２は、メインミラー２０４３と、サブミラー２０４４とを含む。
【００１６】
ミラーユニット２０４２は、レンズユニット２０１０が出射した被写体光束の光路中に進入した状態と、被写体光束の光路から退避した状態とをとる。図２は、ミラーユニット２０４２が被写体光束の光路中に進入した状態を示す。具体的には、メインミラー２０４３は、レンズユニット２０１０が出射した被写体光束の光路中に進入した進入位置と、被写体光束の光路から退避した退避位置との間で、回転可能に軸支される。サブミラー２０４４は、メインミラー２０４３に対して回転可能に軸支される。サブミラー２０４４は、メインミラー２０４３とともに被写体光束中に進入し、メインミラー２０４３とともに被写体光束から退避する。
【００１７】
メインミラー２０４３が進入位置にある場合、メインミラー２０４３に入射した被写体光束の一部は、メインミラー２０４３に反射されてフォーカシングスクリーン２０６１に導かれる。フォーカシングスクリーン２０６１は、撮像ユニット２１００が有する撮像素子２１３０の撮像面と共役な位置に配されて、レンズユニット２０１０が有する光学系２０１４が形成した被写体像を可視化する。フォーカシングスクリーン２０６１に形成された被写体像の光束は、ペンタプリズム２０６２に導かれる。ペンタプリズム２０６２に導かれた光束の一部の光束は、ペンタプリズム２０６２およびファインダレンズ系２０６３を通じてファインダ窓２０６４から出射して、被写体として観察され得る。ファインダ窓２０６４は、後カバー２０３３に対して固定されている。
【００１８】
メインミラー２０４３が進入位置にある場合、メインミラー２０４３に入射した被写体光束のうちメインミラー２０４３で反射した被写体光束以外の光束は、サブミラー２０４４に入射する。具体的には、メインミラー２０４３はハーフミラー領域を有し、メインミラー２０４３のハーフミラー領域を透過した被写体光束がサブミラー２０４４に入射する。ハーフミラー領域を透過しサブミラー２０４４で反射した被写体光束は、焦点検出ユニット２０２６に入射する。
【００１９】
焦点検出ユニット２０２６は、入射した光束を検出して被写体に対する焦点状態を示す情報を出力する焦点検出センサ部２０２７を有する。焦点検出センサ部２０２７は、焦点状態の検出結果を処理ユニット基板２４２０へ出力する。焦点検出センサ部２０２７からの出力信号は、フレキシブルプリント基板を介して処理ユニット基板２４２０へ出力される。処理ユニット基板２４２０に設けられた処理回路は、焦点検出センサ部２０２７からの出力信号はｈが示す焦点状態の検出結果に基づいて、焦点調節を行う。例えば、処理ユニット基板２４２０に設けられた処理回路は、焦点状態の検出結果に基づいてレンズ駆動ユニット２０２５を制御して、レンズ群２０１６を移動させる。
【００２０】
ペンタプリズム２０６２に導かれた光束の一部の光束は、測光光学系２０６８を通じて測光センサ２０６９に入射する。測光センサ２０６９は、入射した光束を受光して、被写体の光量を検出する。測光センサ２０６９は、被写体の光量の検出結果を処理ユニット基板２４２０へ出力する。測光センサ２０６９からの出力信号は、フレキシブルプリント基板を介して処理ユニット基板２４２０へ出力される。処理ユニット基板２４２０に設けられた処理回路は、測光センサ２０６９からの出力信号が示す被写体の光量の検出結果に基づいて、露出調節を行う。例えば、処理ユニット基板２４２０に設けられた処理回路は、被写体の光量の検出結果に基づいて、レンズユニット２０１０の絞り、露出時間、撮像素子２１３０の感度の少なくとも一つを制御する。
【００２１】
ミラーユニット２０４２が被写体光束から退避し、シャッタユニット２０２３の先幕および後幕が開状態となれば、レンズユニット２０１０を透過する被写体光束は、シャッタユニット２０２３の後方に配置された撮像ユニット２１００に入射して、撮像素子２１３０の撮像面に到達する。
【００２２】
撮像ユニット２１００の後方には、処理ユニット基板２４２０、押さえ板１７００、表示ユニット２０２４、表示ユニットカバー１６１０が順次配置される。押さえ板１７００は、表示ユニット２０２４を後カバー２０３３に押さえ付けて、表示ユニット２０２４を後カバー２０３３に対して固定する。
【００２３】
表示ユニット２０２４は、撮像素子２１３０からの出力信号から生成される画像を表示する。表示ユニット２０２４の表示面の画像は、カメラ本体２０２０の背面から、カバー部２０３０が有する開口２０３９および表示ユニットカバー１６１０を通じて表示される。表示ユニット２０２４には、液晶パネルを適用できる。表示ユニット２０２４は、液晶パネル、液晶パネルよりｚ軸プラス方向に位置するバックライトパネルを含んでよい。表示ユニット２０２４は、液晶パネルよりｚ軸マイナス方向に位置するタッチパネルを含んでよい。
【００２４】
処理ユニット基板２４２０には、ＭＰＵ、ＡＳＩＣ等の処理回路を含む電子回路が実装される。ＭＰＵは、撮像装置２０００の全体の制御を担う。撮像素子２１３０からの出力信号は、撮像ユニット２１００と処理ユニット基板２４２０とを接続するフレキシブルプリント基板を介して、ＡＳＩＣへ出力される。ＡＳＩＣは、撮像素子２１３０から出力された出力信号を処理する。
【００２５】
ＡＳＩＣは、撮像素子２１３０からの出力信号に基づいて、表示用の画像データを生成する。表示ユニット２０２４は、ＡＳＩＣが生成した表示用の画像データに基づいて画像を表示する。ＡＳＩＣは、撮像素子２１３０からの出力信号に基づいて、記録用の画像データを生成する。カメラ本体２０２０には、後述する記録媒体１６８０が着脱可能に設けられる。ＡＳＩＣが生成した記録用の画像データは、カメラ本体２０２０に装着された記録媒体１６８０に記録される。
【００２６】
前カバー２０３１、上カバー２０３２および後カバー２０３３は樹脂で形成される。前カバー２０３１、上カバー２０３２および後カバー２０３３は、導電性を有する樹脂で形成される。前カバー２０３１、上カバー２０３２および後カバー２０３３は、樹脂成形により形成される。ボディ側マウント２０２２は金属で形成される。ボディ側マウント２０２２は、環形状を有するマウントリングである。ボディ部２０４０は、樹脂で形成される。ボディ側マウント２０２２は、ボディ部２０４０の剛性より高い剛性を有する。
【００２７】
カバー部２０３０において、前カバー２０３１は、ボディ側マウント２０２２の近傍においてボディ部２０４０に固定される。前カバー２０３１は、ボディ部２０４０においてボディ側マウント２０２２が締結された部位およびボディ側マウント２０２２の少なくとも一方に締結される。例えば、前カバー２０３１は、ボディ側マウント２０２２に締結されてよい。より具体的には、前カバー２０３１は、ボディ側マウント２０２２およびボディ部２０４０と共締めされる。前カバー２０３１は、ボディ側マウント２０２２とボディ部２０４０との間に挟まれた部分を有し、その部分がボディ側マウント２０２２およびボディ部２０４０と共締めされてよい。前カバー２０３１は、ボディ側マウント２０２２をボディ部２０４０に締結するビスにより、ボディ側マウント２０２２およびボディ部２０４０と共締めされてよい。
【００２８】
カバー部２０３０はモノコック構造を有する。上カバー２０３２は、前カバー２０３１および後カバー２０３３と締結される。後カバー２０３３は、前カバー２０３１および上カバー２０３２と締結される。前カバー２０３１、上カバー２０３２および後カバー２０３３は、前カバー２０３１、上カバー２０３２および後カバー２０３３で形成されるカバー部２０３０がモノコック構造を有するように、それぞれ他のカバーと締結される。
【００２９】
カバー部２０３０は、ボディ側マウント２０２２の近傍の部位で、ボディ部２０４０に締結されている。ボディ部２０４０は、他の部位では前カバー２０３１、上カバー２０３２および後カバー２０３３のいずれとも締結されていない。例えば、前カバー２０３１は、ボディ側マウント２０２２の近傍以外の部位では、ボディ部２０４０に締結されていない。また、前カバー２０３１は、ボディ側マウント２０２２を除いて、ボディ部２０４０と締結された他の部材に締結されていない。上カバー２０３２および後カバー２０３３は、ボディ部２０４０と締結されていない。上カバー２０３２および後カバー２０３３は、前カバー２０３１を除いて、ボディ部２０４０と締結された他の部材に締結されていない。したがって、カバー部２０３０は、ボディ側マウント２０２２の近傍の部位でのみ、ボディ部２０４０に締結されている。
【００３０】
ボディ側マウント２０２２がボディ部２０４０と締結されることで、ボディ部２０４０においてボディ側マウント２０２２が締結された部位およびその近傍の部位の剛性が高まる。したがって、カバー部２０３０は、ボディ部２０４０において高い剛性を有する部位に締結される。
【００３１】
また、カバー部２０３０はモノコック構造を有するので、前カバー２０３１、上カバー２０３２および後カバー２０３３のいずれかに加わった応力を、前カバー２０３１、上カバー２０３２および後カバー２０３３の全体で受け持つことができるとともに、前カバー２０３１、上カバー２０３２および後カバー２０３３のいずれかに加わった応力は、ボディ部２０４０においてボディ側マウント２０２２が固定されることによって剛性が高まった部位に集中的に伝達される。そのため、前カバー２０３１、上カバー２０３２および後カバー２０３３のいずれかに加わった応力がボディ部２０４０の他の部位に伝達される場合と比べて、その応力が撮像ユニット２１００の位置決め精度に与える影響を軽減できる。
【００３２】
なお、シャッタユニット２０２３は、フレキシブルプリント基板を介して処理ユニット基板２４２０に接続される。測光センサ２０６９の出力信号は、フレキシブルプリント基板を介して処理ユニット基板２４２０に接続される。撮像ユニット２１００は、フレキシブルプリント基板を介して処理ユニット基板２４２０に接続される。同様に、シャッタユニット２０２３はフレキシブル基板を介して、処理ユニット基板２４２０に接続される。また、上カバー２０３２に設けられた操作部材は、フレキシブル基板を介して処理ユニット基板２４２０に接続される。したがって、例えば後カバー２０３３や上カバー２０３２に加わった応力が、処理ユニット基板２４２０およびフレキシブルプリント基板を介してボディ部２０４０に実質的に伝達されることはない。そのため、カバー部２０３０に加えられた応力が伝達される部位は、ボディ部２０４０においてボディ側マウント２０２２が固定された部位の近傍に限定される。
【００３３】
図２は、前部ユニット１９００の分解斜視図である。前部ユニット１９００は、前カバー２０３１、上カバー２０３２およびボディ部組２０５０を有する。ボディ部組２０５０は、ボディ部２０４０と、ボディ側マウント２０２２と、撮像ユニット２１００と、取付部材２１５０と、撮像ユニット側接地導体１８００と、シャッタユニット２０２３と、焦点検出ユニット２０２６とを有する。
【００３４】
ボディ側マウント２０２２、撮像ユニット２１００、取付部材２１５０、撮像ユニット側接地導体１８００、シャッタユニット２０２３、焦点検出ユニット２０２６は、ボディ部２０４０と直接または間接的に締結される。撮像ユニット２１００は、ボディ部２０４０と締結される取付部材２１５０を介してボディ部２０４０に取り付けられている。取付部材２１５０は、剛性を有する材料で形成される。取付部材２１５０を形成する材料は金属であってよい。撮像ユニット２１００は、取付部材２１５０を介してボディ部２０４０と間接的に締結されている。
【００３５】
前部ユニット１９００において、前カバー２０３１はボディ部２０４０に締結されている。上カバー２０３２は、前カバー２０３１に締結されている。上カバー２０３２は、図３等に示す後カバー２０３３に締結される。
【００３６】
図３は、後部ユニット１９１０の分解斜視図である。後部ユニット１９１０は、表示ユニットカバー１６１０、後カバー２０３３、表示ユニット２０２４、押さえ板１７００、処理ユニット基板２４２０、および電源ユニット２５００を有する。処理ユニット基板２４２０には、機器接続用コネクタ１６９１および記録媒体用コネクタ１６９２等の電子回路が設けられる。電源ユニット２５００は、電源基板２５２０および電池ボックス２５１０を含む。後部ユニット１９１０を表示ユニット２０２４の中心部を通る線に沿って見た場合、処理ユニット基板２４２０、押さえ板１７００、表示ユニット２０２４、表示ユニットカバー１６１０がｚ軸マイナス方向に順に配置される。
【００３７】
表示ユニットカバー１６１０は、ｚ軸マイナス方向から後カバー２０３３に取り付けられる。表示ユニット２０２４は、表示面である第２主面１６２２と、第２主面１６２２とは反対側の第１主面１６２１とを有する。表示ユニット２０２４は、押さえ板１７００によってｚ軸プラス方向の位置から後カバー２０３３に押しつけられて固定される。押さえ板１７００は、表示ユニット２０２４の第１主面１６２１から表示ユニット２０２４を後カバー２０３３に押さえ付けて、後カバー２０３３に対して表示ユニット２０２４を固定する。表示ユニット２０２４は、後カバー２０３３が有する表示ユニット支持部１６５０で支持された状態で、押さえ板１７００に押しつけられる。表示ユニット２０２４の第２主面１６２２に表示された画像は、後カバー２０３３が有する開口２０３９を通じて外部に提示される。
【００３８】
押さえ板１７００は、後カバー２０３３にビスで締結される。表示ユニット２０２４は、後カバー２０３３に締結された押さえ板１７００から加わるｚ軸マイナス方向の力によって、後カバー２０３３に押し付けられて後カバー２０３３に固定される。
【００３９】
押さえ板１７００は、金属で形成される。押さえ板１７００を形成する材料は、銅であってよい。押さえ板１７００は、表示ユニット２０２４を押さえ付ける部材として機能するだけでなく、撮像装置２０００におけるフレームグランド導体の少なくとも一部として機能する。押さえ板１７００の剛性は、後カバー２０３３の剛性より低い。例えば、押さえ板１７００の曲げ弾性率は、後カバー２０３３の曲げ弾性率より低い。押さえ板１７００の曲げ弾性率は、前カバー２０３１の曲げ弾性率より低い。押さえ板１７００の曲げ弾性率は、上カバー２０３２の曲げ弾性率より低い。
【００４０】
図４は、電源ユニット２５００および押さえ板１７００の分解斜視図である。図４は、図３が示す分解斜視図とは異なる向きから見た分解斜視図である。図５は、電源ユニット２５００および押さえ板１７００が組み付けられた状態を示す斜視図である。図５に示されるように、押さえ板１７００には電源ユニット２５００が取り付けられる。電源ユニット２５００は、押さえ板１７００が有する取付部１７９０に取り付けられる。
【００４１】
電源基板２５２０は、電源基板２５２０を押さえ板１７００に取り付けるための穴２５３１を有する。押さえ板１７００は、電源基板２５２０を取り付けるための穴１７３１を取付部１７９０に有する。穴１７３１は、取付部１７９０における第１主面１７９１から第２主面１７９２まで貫通する穴である。電源基板２５２０は、電源基板２５２０が有する穴２５３１および取付部１７９０が有する穴１７３１にビスが挿入されて押さえ板１７００と締結される。電源基板２５２０は、取付部１７９０の第２主面１７９２に接触した状態で、取付部１７９０に締結される。
【００４２】
電源基板２５２０は、複数の電池接続端子２３３０が設けられた第１主面２５２１と、第１主面２５２１とは反対側の第２主面２５２２とを有する。電池ボックス２５１０には、電池が装着される。第２主面２５２２には、電池ボックス２５１０に装着される電池が持つ複数の端子に対応して、複数の電池接続端子２３３０が設けられる。電池ボックス２５１０に電池が装着された場合、複数の電池接続端子２３３０のそれぞれは、電池が有する対応する端子と接触する。
【００４３】
電源基板２５２０は、電源基板２５２０の第２主面２５２２が取付部１７９０に接触して固定される。複数の電池接続端子２３３０のうち、電池ボックス２５１０に装着される電池が有する負極端子に接触する電池接続端子２３３０に、押さえ板１７００が電気的に接続される。押さえ板１７００は、電池の負極端子に接触する電池接続端子２３３０に接続された接地導体と接触する。当該接地導体は、電源回路の基準電位を提供する。押さえ板１７００は、当該接地導体の異なる複数の位置で接地導体と接続される。押さえ板１７００が電源基板２５２０の接地導体と電気的に接続されているので、押さえ板１７００の電位は接地電位となる。押さえ板１７００は、撮像装置２０００におけるフレームグランド導体の少なくとも一部を提供する。
【００４４】
上述したように、カバー部２０３０はモノコック構造を有している。撮像装置２０００は、撮像装置２０００全体の強度を提供する構造体をカバー部２０３０内に有しない。撮像装置２０００は、金属製の構造体をカバー部２０３０内に有しない。撮像装置２０００においては、押さえ板１７００をフレームグランド導体として用いるので、フレームグランド専用の導体を設ける場合と比べて、部品点数を削減できる。また、押さえ板１７００をフレームグランド導体として用いるので、撮像装置２０００全体の強度を提供する構造体をフレームグランド導体として利用する場合と比較して、フレームグランド導体が占める空間を小さくすることができる。
【００４５】
撮像装置２０００において、電源基板２５２０は押さえ板１７００の取付部１７９０に接触して締結される。電源基板２５２０は押さえ板１７００に接触して設けられるので、電池の負極端子と押さえ板１７００との間のインピーダンスを低減することができる。図２に示されるように、取付部１７９０には開口１７９５が設けられている。電源基板２５２０の第２主面２５２２からは、電池接続端子２３３０のｚ軸マイナス方向側の先端部２３３１が突出している。電源基板２５２０を取付部１７９０に取り付けた場合に、先端部２３３１は開口１７９５に収容される。そのため、先端部２３３１が押さえ板１７００に接触することを防ぐことができる。また、電源基板２５２０と取付部１７９０とを密接して締結することができる。また、電源基板２５２０と取付部１７９０とを短距離で接続することができる。そのため、電池の負極端子と押さえ板１７００との間のインピーダンスをより低減することができる。
【００４６】
図６は、電源基板２５２０、処理ユニット基板２４２０および押さえ板１７００が接続された状態を示す。図６では、機器接続用コネクタ１６９１、記録媒体用コネクタ１６９２および記録媒体１６８０は省略して図示されている。処理ユニット基板２４２０は、押さえ板１７００と締結される。
【００４７】
押さえ板１７００は、平板部１７１０と、第１延伸部１７２０と、第２延伸部１７３０と、取付部１７９０とを有する。平板部１７１０は、第１主面１７１１と、第１主面１７１１とは反対側の第２主面１７１２とを有する。第１主面１７１１および第２主面１７１２は、ｘｙ平面に略平行な面である。第２主面１７１２は、表示ユニット２０２４をｚ軸マイナス方向に押さえ付ける面である。平板部１７１０は、ｘｙ平面において矩形の形状を有する。ｘｙ面内において、平板部１７１０の面積は表示ユニット２０２４の面積より大きい。
【００４８】
処理ユニット基板２４２０は、処理ユニット基板２４２０を押さえ板１７００に取り付けるための穴２４３２、穴２４３３および穴２４３４を有する。処理ユニット基板２４２０の穴２４３２、穴２４３３および穴２４３４は、処理ユニット基板２４２０の第１主面２４２１から第２主面２４２２まで貫通する穴である。押さえ板１７００は、処理ユニット基板２４２０を取り付けるための穴１７３２、穴１７３３および穴１７３４を、平板部１７１０に有する。
【００４９】
処理ユニット基板２４２０は、処理ユニット基板２４２０の穴２４３２および押さえ板１７００の平板部１７１０の穴１７３２にビスが挿入されて押さえ板１７００と締結される。また、処理ユニット基板２４２０は、処理ユニット基板２４２０の穴２４３３および押さえ板１７００の平板部１７１０の穴１７３３にビスが挿入されて押さえ板１７００と締結される。また、処理ユニット基板２４２０は、処理ユニット基板２４２０の穴２４３４および押さえ板１７００の平板部１７１０の穴１７３４にビスが挿入されて押さえ板１７００と締結される。
【００５０】
第１延伸部１７２０は、第１主面１７１１よりｚ軸プラス方向に延伸する。第１延伸部１７２０は、平板部１７１０のｙ軸プラス方向の端部からｚ軸プラス方向に延伸する。第１延伸部１７２０は、ｘｙ平面に略平行な板形状を有する。第２延伸部１７３０は、第１主面１７１１よりｚ軸プラス方向に延伸する。第２延伸部１７３０は、平板部１７１０のｙ軸マイナス方向の端部からｚ軸プラス方向に延伸する。第２延伸部１７３０は、ｘｙ平面に略平行な板形状を有する。
【００５１】
取付部１７９０は、第１延伸部１７２０のｚ軸プラス方向の端部から、ｙ軸マイナス方向に延伸する。取付部１７９０は、ｚ軸に略垂直な第１主面１７９１と、ｚ軸に略垂直な第２主面１７９２とを有する。取付部１７９０は、ｘｙ平面に略平行な板形状を有する。ｚ軸方向において、処理ユニット基板２４２０は、取付部１７９０の第１主面１７９１と、押さえ板１７００の第１主面１７１１との間に設けられる。
【００５２】
処理ユニット基板２４２０が押さえ板１７００に締結された場合、押さえ板１７００は、処理ユニット基板２４２０に設けられた接地導体と接触する。処理ユニット基板２４２０に設けられた接地導体は、複数点で押さえ板１７００に電気的に接続される。処理ユニット基板２４２０に設けられた接地導体は、押さえ板１７００に電気的に接続されて、処理ユニット基板２４２０におけるシグナルグランドを提供する。処理ユニット基板２４２０に設けられた接地導体は、処理ユニット基板２４２０に設けられたＡＳＩＣ、ＭＰＵならびに後述する機器接続用コネクタ１６９１および記録媒体用コネクタ１６９２等の電子回路におけるシグナルグランドを提供する。
【００５３】
なお、第１延伸部１７２０には穴が設けられていない。また、平板部１７１０には、ビスを挿入するための穴以外に、穴部や開口を有しない。そのため、押さえ板１７００において電源基板２５２０の接地導体と接触している部位と、押さえ板１７００において処理ユニット基板２４２０の接地導体と接触している部位との間の電気経路の断面積を大きくすることができる。そのため、電源基板２５２０の接地導体と処理ユニット基板２４２０の接地導体とを低インピーダンスで電気的に接続することができる。また、電源基板２５２０の接地導体と処理ユニット基板２４２０の接地導体との間の電気経路において発生するノイズを低減することができる。
【００５４】
主として図３に示されるように、処理ユニット基板２４２０は、他の機器が接続される機器接続用コネクタ１６９１と、記録媒体用コネクタ１６９２とが設けられる。機器接続用コネクタ１６９１および記録媒体用コネクタ１６９２は、処理ユニット基板２４２０の第１主面２４２１に設けられる。上述したＡＳＩＣ、ＭＰＵ等は、処理ユニット基板２４２０の第２主面２４２２に設けられる。
【００５５】
処理ユニット基板２４２０に設けられたＡＳＩＣが生成した記録用の画像データは、記録媒体用コネクタ１６９２に装着された記録媒体１６８０に記録される。記録媒体１６８０としては、ＳＤカード等の半導体メモリカードを例示することができる。処理ユニット基板２４２０に設けられたＡＳＩＣが生成した記録用の画像データや、記録媒体用コネクタ１６９２に装着されたメモリカードから読み出された画像データは、機器接続用コネクタ１６９１を介して他の機器に出力される。機器接続用コネクタ１６９１としては、ＵＳＢコネクタ、ＨＤＭＩ（登録商標）コネクタ等を例示することができる。
【００５６】
図７は、撮像ユニット２１００、取付部材２１５０、電源基板２５２０および撮像ユニット側接地導体１８００を示す斜視図である。図８は、撮像ユニット２１００、取付部材２１５０、処理ユニット基板２４２０、押さえ板１７００および表示ユニット２０２４の断面図を示す。図８は、ｙｚ面の切断面であり、図７に示すＡ−Ａ断面を示す。
【００５７】
図８に示されるように、第１延伸部１７２０は、処理ユニット基板２４２０の第２主面２４２２より、ｚ軸プラス方向の位置まで延伸している。第２延伸部１７３０は、処理ユニット基板２４２０の第２主面２４２２より、ｚ軸プラス方向の位置まで延伸している。そのため、押さえ板１７００は、処理ユニット基板２４２０をシールドする部材としても機能する。例えば押さえ板１７００は、処理ユニット基板２４２０を電磁シールドする部材として機能する。
【００５８】
処理ユニット基板２４２０の第２主面２４２２には、上述したＡＳＩＣ、ＭＰＵ等の電子回路が設けられる。したがって、ＡＳＩＣ、ＭＰＵ等の電子回路は、押さえ板１７００によりシールドされる。処理ユニット基板２４２０に高周波信号を処理する電子回路や高周波の発振を伴うパターン等の回路を設ける場合は、これらの回路を処理ユニット基板２４２０の第２主面２４２２に設けることが好ましい。処理ユニット基板２４２０の第１主面２４２１には、高周波信号を処理する電子回路や高周波の発振を伴うパターン等の回路を設けないことがより好ましい。
【００５９】
なお、第１延伸部１７２０および第２延伸部１７３０は、処理ユニット基板２４２０の第１主面２４２１よりｚ軸プラス方向の位置まで延伸していてもよい。第１延伸部１７２０および第２延伸部１７３０の一方だけが、処理ユニット基板２４２０の第１主面２４２１よりｚ軸プラス方向の位置まで延伸していてもよい。
【００６０】
図９は、図８のＢ部を拡大して示す断面図である。図１０は、撮像ユニット側接地導体１８００、押さえ板１７００および電源基板２５２０の位置関係を主として示す斜視図である。
【００６１】
図８に主として示されるように、撮像ユニット２１００は、第１基板２１２０と、第２基板２１２２と、撮像素子２１３０と、環囲部材２１４０と、カバーガラス２１４２と、光学素子２１４４と、マスクゴム２１４６と、押さえ板２１４８とを含む。
【００６２】
撮像素子２１３０は、第１基板２１２０に実装される。第２基板２１２２は、第１基板２１２０よりｚ軸マイナス方向に位置している。第２基板２１２２は、第１基板２１２０に取り付けられる。撮像素子２１３０が出力した信号は、第１基板２１２０を介して第２基板２１２２に伝送され、第２基板２１２２からフレキシブルプリント基板を介して処理ユニット基板２４２０に伝送される。
【００６３】
環囲部材２１４０は、第１基板２１２０に設けられ、撮像素子２１３０を環囲する。環囲部材２１４０のｚ軸プラス方向の上面には、カバーガラス２１４２が設けられる。撮像素子２１３０は、第１基板２１２０、環囲部材２１４０およびカバーガラス２１４２によって形成される閉空間内に設けられる。
【００６４】
光学素子２１４４は、光学ローパスフィルタおよび赤外カットフィルタを含んでよい。光学素子２１４４に入射した被写体光束は、光学素子２１４４およびカバーガラス２１４２を通過して撮像素子２１３０に入射する。押さえ板２１４８は、取付部材２１５０に締結される。押さえ板２１４８は、マスクゴム２１４６を介して光学素子２１４４をｚ軸マイナス方向に押し付けて、光学素子２１４４をカバーガラス２１４２へ押さえ付ける。
【００６５】
撮像ユニット側接地導体１８００は、第２基板２１２２のｚ軸マイナス方向側の主面２１２８に沿って設けられる主部１８１０と、第１側壁部１８２１と、第２側壁部１８２２と、第３側壁部１８２３と、第４側壁部１８２４と、第５側壁部１８２５と、第６側壁部１８２６と、第７側壁部１８２７と、第８側壁部１８２８と、第９側壁部１８２９と、第１取付部１８３０と、第２取付部１８４０と、接地接続部１８５０とを有する。
【００６６】
主部１８１０は、第２基板２１２２のｚ軸マイナス方向側の主面２１２８に沿う形状を有する。主面２１２８に電子回路が設けられている部分においては、主部１８１０は当該電子回路の外形に沿う形状を有する。主部１８１０は、主面２１２８に設けられた電子部品と主面２１２８とに沿う起伏形状を有する。第１側壁部１８２１、第２側壁部１８２２、第３側壁部１８２３および第９側壁部１８２９は、主部１８１０からｚ軸プラス方向に延伸し、ｘｙ平面に略平行な平板形状を有する。
【００６７】
第１側壁部１８２１は、主部１８１０のｙ軸プラス方向の端部から、ｚ軸プラス方向に延伸する。第２側壁部１８２２、第３側壁部１８２３および第９側壁部１８２９は、主部１８１０のｙ軸マイナス方向の端部から、ｚ軸プラス方向に延伸する。第２側壁部１８２２は、第３側壁部１８２３よりｘ軸プラス方向に位置する。第３側壁部１８２３は、第９側壁部１８２９よりｘ軸プラス方向に位置する。第２側壁部１８２２は、第３側壁部１８２３よりｙ軸マイナス方向に位置する。第３側壁部１８２３は、第９側壁部１８２９よりｙ軸マイナス方向に位置する。第１側壁部１８２１および第２側壁部１８２２は、取付部材２１５０の近傍までｚ軸プラス方向に延伸している。
【００６８】
第４側壁部１８２４、第５側壁部１８２５、第６側壁部１８２６、第７側壁部１８２７、第８側壁部１８２８および第９側壁部１８２９は、主部１８１０からｚ軸プラス方向に延伸する。第４側壁部１８２４、第５側壁部１８２５、第６側壁部１８２６、第７側壁部１８２７および第８側壁部１８２８は、ｙｚ平面に略平行な平板形状を有する。第１側壁部１８２１、第２側壁部１８２２、第３側壁部１８２３、第４側壁部１８２４、第５側壁部１８２５、第６側壁部１８２６、第７側壁部１８２７および第８側壁部１８２８によって、少なくとも第２基板２１２２が実質的に囲まれる。
【００６９】
第１取付部１８３０は、第１側壁部１８２１のｚ軸プラス方向の端部からｙ軸プラス方向に延伸する。第１取付部１８３０は、ｘｙ平面に略平行な平板形状を有する。第１取付部１８３０は、撮像ユニット側接地導体１８００を取付部材２１５０に取り付けるための穴１８３１および穴１８３２を有する。
【００７０】
第２取付部１８４０は、第２側壁部１８２２のｚ軸プラス方向の端部からｙ軸マイナス方向に延伸する。第２取付部１８４０は、ｘｙ平面に略平行な平板形状を有する。第２取付部１８４０は、撮像ユニット側接地導体１８００を取付部材２１５０に取り付けるための穴１８４１を有する。
【００７１】
取付部材２１５０は、撮像ユニット側接地導体１８００を取り付けるための穴１９５１および穴１９５２を有する。撮像ユニット側接地導体１８００は、第１取付部１８３０が有する穴１８３１および取付部材２１５０が有する穴１９５１にビスが挿入されて取付部材２１５０と締結される。撮像ユニット側接地導体１８００は、第１取付部１８３０が有する穴１８３２および取付部材２１５０が有する穴１９５２にビスが挿入されて取付部材２１５０と締結される。撮像ユニット側接地導体１８００は、第２取付部１８４０が有する穴１８４１および取付部材２１５０が有する穴１９５３にビスが挿入されて、取付部材２１５０と締結される。
【００７２】
接地接続部１８５０は、第２取付部１８４０のｙ軸マイナス方向の端部から、主としてｚ軸マイナス方向に延伸する。主として図９に示されるように、接地接続部１８５０は、ｘｚ平面に略平行に延伸する第１延伸部１８５１および第２延伸部１８５２と、第１延伸部１８５１と第２延伸部１８５２との間の屈曲部１８５３と、押さえ板１７００と接触するコネクタ部１８６０とを有する。
【００７３】
コネクタ部１８６０は、押さえ板１７００の第２延伸部１７３０のｚ軸プラス方向の縁部を挟んだ状態で押さえ板１７００に支持される。撮像ユニット側接地導体１８００は、コネクタ部１８６０において押さえ板１７００と電気的に接続される。
【００７４】
屈曲部１８５３は、応力吸収部の一例である。屈曲部１８５３は、応力に対して変形することにより応力を吸収する。屈曲部１８５３は、第１延伸部１８５１から伝達された応力を吸収して、第１延伸部１８５１から伝達された応力が第２延伸部１８５２に伝達されることを抑制する。屈曲部１８５３は、第２延伸部１８５２から伝達された応力を吸収して、第２延伸部１８５２から伝達された応力が第１延伸部１８５１に伝達されることを抑制する。
【００７５】
後カバー２０３３に応力が加わった場合に、後カバー２０３３から押さえ板１７００を介して撮像ユニット側接地導体１８００のコネクタ部１８６０に伝達された応力は、屈曲部１８５３で吸収される。そのため、後カバー２０３３に加わった応力がボディ部組２０５０に伝達されることが抑制される。
【００７６】
なお、屈曲部１８５３の形状は、図示した形状に限られない。屈曲部１８５３は、Ｓ字、Ｕ字等、種々の形状を有してよい。屈曲部１８５３で生じる撓み応力は低いことが好ましい。屈曲部１８５３は、応力に対して柔軟な屈曲性を有することが好ましい。
【００７７】
本実施形態の撮像装置２０００においては、処理ユニット基板２４２０が電源基板２５２０よりｚ軸マイナス方向に位置する。しかし、ｚ軸方向において、処理ユニット基板２４２０が電源基板２５２０と同じ位置に配置されてよい。処理ユニット基板２４２０は、電源基板２５２０とｘｙ面内で並んで配置されてよい。
【００７８】
なお、測光センサ２０６９の出力信号は、シャッタユニット２０２３と処理ユニット基板２４２０とを接続するフレキシブルプリント基板を介して、処理ユニット基板２４２０に接続されてよい。また、焦点検出センサ部２０２７の出力信号は、シャッタユニット２０２３と処理ユニット基板２４２０とを接続するフレキシブルプリント基板を介して、処理ユニット基板２４２０に接続されてよい。このように、測光センサ２０６９および焦点検出センサ部２０２７と処理ユニット基板２４２０との間の接続は、シャッタユニット２０２３と処理ユニット基板２４２０とを接続するフレキシブルプリント基板に集約されてよい。
【００７９】
ここで、シャッタユニット２０２３と処理ユニット基板２４２０とを接続するフレキシブルプリント基板は、撮像ユニット２１００よりｙ軸プラス方向の位置を通って、処理ユニット基板２４２０に接続されてよい。同様に、撮像ユニット２１００と処理ユニット基板２４２０とを接続するフレキシブルプリント基板は、ｙ軸プラス方向の位置から処理ユニット基板２４２０に接続される。同様に、上カバー２０３２に設けられた操作部材と処理ユニット基板２４２０とを接続するフレキシブル基板は、ｙ軸プラス方向の位置から処理ユニット基板２４２０に接続される。これにより前部ユニット１９００に後部ユニット１９１０を組み付ける工程において、各フレキシブル基板を処理ユニット基板２４２０に接続する工程の作業性が高まる。なお、上カバー２０３２と処理ユニット基板２４２０とは、基板対基板コネクタ等のリジッドコネクタで接続してもよい。
【００８０】
本実施形態においては、レンズユニットをするカメラ本体を取り上げて、撮像装置２０００が有する構成を説明した。しかし、撮像装置とは、レンズユニットを有しないカメラ本体を含む概念である。また、撮像装置とは、レンズ交換式カメラの一例である一眼レフレックスカメラの他に、レンズ非交換式カメラ等、種々の態様のカメラを含む概念である。
【００８１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００８２】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００８３】
１６１０  表示ユニットカバー、１６２１  第１主面、１６２２  第２主面、１６５０  表示ユニット支持部、１６８０  記録媒体、１６９１  機器接続用コネクタ、１６９２  記録媒体用コネクタ
１７００  押さえ板、１７１０  平板部、１７１１  第１主面、１７１２  第２主面、１７２０  第１延伸部、１７３０  第２延伸部、１７３１、１７３２、１７３３、１７３４  穴、１７９０  取付部、１７９１  第１主面、１７９２  第２主面、１７９５  開口
１８００  撮像ユニット側接地導体、１８１０  主部、１８２１  第１側壁部、１８２２  第２側壁部、１８２３  第３側壁部、１８２４  第４側壁部、１８２５  第５側壁部、１８２６  第６側壁部、１８２７  第７側壁部、１８２８  第８側壁部、１８２９  第９側壁部、１８３０  第１取付部、１８３１、１８３２、１８４１  穴、１８４０  第２取付部、１８５０  接地接続部、１８５１  第１延伸部、１８５２  第２延伸部、１８５３  屈曲部、１８６０  コネクタ部
１９００  前部ユニット、１９１０  後部ユニット
１９５１、１９５２、１９５３  穴
２０００  撮像装置、２０１０  レンズユニット、２０１２  レンズ側マウント、２０１４  光学系、２０１５  レンズ群、２０１６  レンズ群、２０２０  カメラ本体、２０２２  ボディ側マウント、２０２３  シャッタユニット、２０２４  表示ユニット、２０２５  レンズ駆動ユニット、２０２６  焦点検出ユニット、２０２７  焦点検出センサ部、２０３０  カバー部、２０３１  前カバー、２０３２  上カバー、２０３３  後カバー、２０３９  開口、２０４０  ボディ部、２０４２  ミラーユニット、２０４３  メインミラー、２０４４  サブミラー、２０５０  ボディ部組、２０６０  ファインダユニット
２０６１  フォーカシングスクリーン、２０６２  ペンタプリズム、２０６３  ファインダレンズ系、２０６４  ファインダ窓、２０６７  測光ユニット、２０６８  測光光学系、２０６９  測光センサ
２１００  撮像ユニット、２１４８  押さえ板、２１２０  第１基板、２１２２  第２基板、２１２８  主面、２１３０  撮像素子、２１４０  環囲部材、２１４２  カバーガラス、２１４４  光学素子、２１４６  マスクゴム、２１５０  取付部材
２３３０  電池接続端子、２３３１  先端部
２４２０  処理ユニット基板、２４２１  第１主面、２４２２  第２主面、２４３２、２４３３、２４３４、２５３１  穴
２５００  電源ユニット、２５１０  電池ボックス、２５２０  電源基板、２５２１  第１主面、２５２２  第２主面
【図１】
2018142009.tif 000003
【図２】
2018142009.tif 000004
【図３】
2018142009.tif 000005
【図４】
2018142009.tif 000006
【図５】
2018142009.tif 000007
【図６】
2018142009.tif 000008
【図７】
2018142009.tif 000009
【図８】
2018142009.tif 000010
【図９】
2018142009.tif 000011
【図１０】
2018142009.tif 000012